(57)【要約】【課題】計量装置と表示装置が別体の計量システムにおいて、表示装置と計量装置を含む他の装置とを接続するインターフェースを小型化かつ安価にすることができる計量システムを提供する。【解決手段】計量システムは、表示装置１、計量装置２、パソコン３、プリンタ４、バーコードスキャナ５で構成されており、各装置はそれぞれ、汎用の近距離無線通信規格に適合した無線通信部（ＢＴ）１１、２１、３１、４１、５１を有する。計量装置２、パソコン３、プリンタ４、バーコードスキャナ５は、それぞれこの無線通信部２１〜５１を用いて表示装置１と近距離無線通信を行う。【選択図】      図１
2004340811.tif 000002
【特許請求の範囲】
【請求項１】
物品を計量する計量手段を有する計量装置と、前記計量装置と別体であり、前記計量手段によって計量された物品の計量データを表示する表示手段を有する表示装置と、前記計量手段により計量した物品の計量データを処理あるいはデータ入力を行う外部装置とで構成される計量システムにおいて、
前記計量装置、前記表示装置、前記外部装置それぞれに汎用の無線規格からなる通信部を設け、
前記表示装置は、前記計量装置からデータを受信するためのインターフェースと前記外部装置と通信するインターフェースとを兼用する
ことを特徴とする計量システム。
【請求項２】
前記外部装置は、前記計量手段で計量した計量データの実績を集計管理する管理装置である
ことを特徴とする請求項１記載の計量システム。
【請求項３】
前記外部装置は、計量データ、あるいは計量値に基づくデータを出力するプリンタである
ことを特徴とする請求項１記載の計量システム。
【請求項４】
前記計量装置は、前記計量手段によって同じ値の計量データを連続して計量した場合に、前記表示装置に該計量データを送信しない
ことを特徴とする請求項１記載の計量システム。
【請求項５】
前記計量装置は、前記計量手段によってゼロに相当する計量データを連続して計量した場合に、前記表示装置に計量データを送信しない
ことを特徴とする請求項１記載の計量システム。
【請求項６】
前記計量装置は、計量装置固有のＩＤを計量データと共に前記表示装置に送信し、
前記表示装置は、受信した前記ＩＤが前記表示装置にあらかじめ記憶してあるＩＤと一致した場合に、前記計量データを表示する
ことを特徴とする請求項１記載の計量システム。
【請求項７】
１つの表示装置に対して複数の計量装置を備える場合、前記表示装置は、計量装置のＩＤと対応する計量データとを対で表示する
ことを特徴とする請求項６記載の計量システム。
【請求項８】
前記表示装置はゼロリセットキーを有し、
前記ゼロリセットキーが操作されると、ゼロリセット信号を前記計量装置に送信し、前記計量装置はゼロリセット信号を受信したときの計量データをゼロ点として記憶する
ことを特徴とする請求項１に記載の計量システム。
【請求項９】
前記表示装置は風袋キーを有し、
前記風袋キーが操作されると、風袋信号を前記計量装置に送信し、前記計量装置は、風袋信号を受信したときの計量データを風袋データとして記憶する
ことを特徴とする請求項１記載の計量システム。
【発明の詳細な説明】
【０００１】
【発明の属する技術分野】
本発明は、商品の重量を計量して計量結果を表示する計量システムに関する。
【０００２】
【従来の技術】
従来の計量システムは特許文献１の第２図のように、第３スケールと、ディスプレイを備える本体部とが別体であり、本体部には第３スケールと電気的接続を行うための計量部インターフェースを設けてある。さらに、本体部には、プリンタと接続するためのプリンタインターフェースと、パソコンと接続するための交信用インターフェースとを備えている。
【０００３】
【特許文献１】
特公平６−５４２５６号公報
【０００４】
【発明が解決しようとする課題】
しかしながら特許文献１において、本体部は、スケールやプリンタなどの接続機器毎にインターフェースを備える必要があり、装置が大型化し、また高価にもなっていた。
この発明はこのような点を鑑みてなされたもので、計量装置と表示装置が別体の計量システムにおいて、表示装置と他の装置とを接続するインターフェースを小型化かつ安価にすることができる計量システムを提供することを目的としている。
【０００５】
【課題を解決するための手段】
上記した目的を達成するために、請求項１記載の計量システムは、物品を計量する計量手段を有する計量装置と、前記計量装置と別体であり、前記計量手段によって計量された物品の計量データを表示する表示手段を有する表示装置と、前記計量手段により計量した物品の計量データを処理あるいはデータ入力を行う外部装置とで構成される計量システムにおいて、前記計量装置、前記表示装置、前記外部装置それぞれに汎用の無線規格からなる通信部を設け、前記表示装置は、前記計量装置からデータを受信するためのインターフェースと前記外部装置と通信するインターフェースとを兼用することを特徴とする。
【０００６】
請求項２記載の発明は、請求項１記載の計量システムにおいて、前記外部装置は、前記計量手段で計量した計量データの実績を集計管理する管理装置であることを特徴とする。
【０００７】
請求項３記載の発明は、請求項１記載の計量システムにおいて、前記外部装置は、計量データ、あるいは計量値に基づくデータを出力するプリンタであることを特徴とする。
【０００８】
請求項４記載の発明は、請求項１記載の計量システムにおいて、前記計量装置は、前記計量手段によって同じ値の計量データを連続して計量した場合に、前記表示装置に該計量データを送信しないことを特徴とする。
【０００９】
請求項５記載の発明は、請求項１記載の計量システムにおいて、前記計量装置は、前記計量手段によってゼロに相当する計量データを連続して計量した場合に、前記表示装置に計量データを送信しないことを特徴とする。
【００１０】
請求項６記載の発明は、請求項１記載の計量システムにおいて、前記計量装置は、計量装置固有のＩＤを計量データと共に前記表示装置に送信し、前記表示装置は、受信した前記ＩＤが前記表示装置にあらかじめ記憶してあるＩＤと一致した場合に、前記計量データを表示することを特徴とする。
【００１１】
請求項７記載の発明は、請求項６記載の計量システムにおいて、１つの表示装置に対して複数の計量装置を備える場合、前記表示装置は、計量装置のＩＤと対応する計量データとを対で表示することを特徴とする。
【００１２】
請求項８記載の発明は、請求項１記載の計量システムにおいて、前記表示装置はゼロリセットキーを有し、前記ゼロリセットキーが操作されると、ゼロリセット信号を前記計量装置に送信し、前記計量装置はゼロリセット信号を受信したときの計量データをゼロ点として記憶することを特徴とする。
【００１３】
請求項９記載の発明は、請求項１記載の計量システムにおいて、前記表示装置は風袋キーを有し、前記風袋キーが操作されると、風袋信号を前記計量装置に送信し、前記計量装置は、風袋信号を受信したときの計量データを風袋データとして記憶することを特徴とする。
【００１４】
【発明の実施の形態】
以下、図面を参照して本発明の実施の形態を説明する。
図１は、本発明の一実施形態に係る、精肉店などの店舗で使用される計量システムの構成図である。計量システムは、表示装置１、計量装置２、パソコン３、プリンタ４、バーコードスキャナ５で構成されている。計量装置２は、装置上部に商品を載置して計量を行う。表示装置１は、計量装置２で計量した商品の重量値や値段を表示する。パソコン３は、商品コードや商品名、単価を記載した商品ファイルを内部のハードディスクに保存しており、また重量、売上などの実績を累計する。プリンタ４は、計量装置２で計量した商品の重量や値段を含む買上明細を印字したレシートを発行する。バーコードスキャナ５は商品の商品コードを読み取る。
計量システム内の各装置はそれぞれ、ブルートゥース（登録商標）と呼ばれる汎用の近距離無線通信規格に適合した無線通信部（図１におけるＢＴ）１１、２１、３１、４１、５１（通信部）を有する。計量装置２、パソコン３、プリンタ４、バーコードスキャナ５は、それぞれこの無線通信部２１〜５１を用いて表示装置１と近距離無線通信を行う。
【００１５】
図２は計量装置２の概略構成を示すブロック図である。２０はＣＰＵであり、計量装置２の各部全体を制御する。２１は無線通信部であり、前述したようにブルートゥース（登録商標）ユニットである。また、計量装置２固有のＩＤを設定しており、表示装置１と近距離無線通信を行う。２２はデータ一時記憶用のＲＡＭ（ランダムアクセスメモリ）、２３はＣＰＵ２０の動作プログラムを記憶するＲＯＭ（リードオンリメモリ）である。２４はロードセル（計量手段）であり、計量装置２上部に載置された商品の荷重を測定して電気信号に変換し、Ａ／Ｄ変換部２５に送る。Ａ／Ｄ変換部２５はその電気信号をデジタル変換し、カウント値として出力する。本実施形態における最大カウント値は３００００＋αである。最大荷重時のカウント値は、無負荷時のカウント値に３００００を加えたものとなり、分解能は３００００分の１となる。またＡ／Ｄ変換部２５は、ロードセル２４で測定した商品の荷重をカウント値にして１秒間に１０回程度定期的に出力し、そのカウント値をＲＡＭ２２に格納する。
【００１６】
ここで、計量装置２のＲＡＭ２２に記憶されているメモリマップについて、図３を用いて説明する。
ワークエリア２２１はフラグレジスタである。風袋レジスタ２２２は、風袋を計量装置２に載せたときのカウント値を格納する。ゼロ点レジスタ２２３は、計量装置２上部に何も載せないときのカウント値を格納する。今回カウント値レジスタ２２４はＡ／Ｄ変換部２５から出力された最新のカウント値を、前回カウント値レジスタ２２５はＡ／Ｄ変換部２５から前回出力されたカウント値を、前々回カウント値レジスタ２２６はＡ／Ｄ変換部２５から前々回出力されたカウント値をそれぞれ格納する。
計量データレジスタ２２７は計量データ（重量値）を格納する。重量値換算係数レジスタ２２８は、計量データを求める際に用いる係数を格納する。
計量データは、今回カウント値レジスタ２２４に格納されている最新のカウント値から、ゼロ点レジスタ２２３に格納されているカウント値を減算した値の下一桁を五捨六入し、さらに１０分の１にし、その値に重量値換算係数レジスタ２２８に格納している係数を乗算して算出する。これにより計量装置２の分解能は３０００分の１となり、これが計量装置２の精度となる。
計量装置２には表示を行う機能がなく、他の装置で表示を行うようになっている。
【００１７】
図４は表示装置１の概略構成を示すブロック図である。１０はＣＰＵであり、表示装置１の各部全体を制御する。１１は無線通信部であり、前述したようにブルートゥース（登録商標）ユニットである。また、表示装置１固有のＩＤを設定しており、他の装置と近距離無線通信を行う。１２はデータ一時記憶用のＲＡＭ（ランダムアクセスメモリ）、１３はＣＰＵ１０の動作プログラムを記憶するＲＯＭ（リードオンリメモリ）である。ＲＡＭ１２は、通信を行う他の装置のブルートゥース（登録商標）ユニットのＩＤを記憶している。
１４はディスプレイなどの表示部（表示手段）である。１５は操作部であり、テンキーやゼロ点を設定するゼロリセットキー、風袋を計量するときに用いる風袋キーを含む。
【００１８】
次に、上記構成の計量装置２の動作について図５を参照して説明する。計量装置２の電源を投入すると、ＣＰＵ２０はＲＡＭ２２内のデータをクリアする（ステップＳａ１）。次に、計量装置２に物を載置しない状態において、ロードセル２４は測定を行い、Ａ／Ｄ変換部２５は測定したカウント値を出力する。ＣＰＵ２０はそのカウント値を、ゼロ点レジスタ２２３に書き込む（ステップＳａ３）。これによりゼロ点におけるカウント値が決定する。
【００１９】
Ａ／Ｄ変換部２５は、前述したように１秒間に１０回程度定期的にカウント値を出力するので、ＣＰＵ２０は、Ａ／Ｄ変換部２５から次に出力されるカウント値を、今回カウント値レジスタ２２４に書き込む。
一定時間が経過して、Ａ／Ｄ変換部２５から次のカウント値が出力されると、今回カウント値レジスタ２２４に格納していたデータは前回カウント値レジスタ２２５に、最新のカウント値は今回カウント値レジスタ２２４に書き込まれる。
さらに一定時間が経過して、Ａ／Ｄ変換部２５から次のカウント値が出力されると、前回カウント値レジスタ２２５に格納していたデータは前々回カウント値レジスタ２２６に、今回カウント値レジスタ２２４に格納していたデータは前回カウント値レジスタ２２５に、最新のカウント値は今回カウント値レジスタ２２４にそれぞれ書き込まれる。
このようにして、Ａ／Ｄ変換部２５からカウント値が定期的に出力されると、ＣＰＵ２０は今回、前回、前々回それぞれのカウント値レジスタ２２４〜２２６に格納されたカウント値を更新する（ステップＳａ５）。
【００２０】
このとき計量装置２の無線通信部２１が、表示装置１の無線通信部１１から任意のデータを受信しない場合（ステップＳａ７で「Ｎｏ」）、ＣＰＵ２０は、今回カウント値レジスタ２２４、前回カウント値レジスタ２２５、前々回カウント値レジスタ２２６に格納しているカウント値がすべて同じであるか否かにより、計量が安定しているか否かを判断する（ステップＳａ９）。各レジスタ２２４〜２２６のカウント値が同じ場合（ステップＳａ９で「Ｙｅｓ」）、ＣＰＵ２０は、計量装置２が商品を計量していない、あるいは同じ商品を計量装置２の上部に長時間載置していると判断する。そして、ステップＳａ５の処理に戻る。
【００２１】
各レジスタ２２４〜２２６のカウント値が異なる場合（ステップＳａ９で「Ｎｏ」）、計量装置２の上部に商品が載置された、あるいは計量装置２上部に載置していた商品が取り除かれたと判断するので、ＣＰＵ２０は、ゼロ点レジスタ２２３に格納されているカウント値と、今回カウント値レジスタ２２４に格納されている最新のカウント値とから計量データを算出し、その計量データをＲＡＭ２２の計量データレジスタ２２７に格納する（ステップＳａ１１）。計量データの算出方法は前述の通りである。
【００２２】
計量データの算出において、風袋レジスタ２２２に有効データが格納されている場合、ＣＰＵ２０は計量した商品が風袋に入っているものと判断し、ゼロ点レジスタ２２３に格納されたカウント値の替わりに風袋レジスタ２２２に格納されたカウント値を用いて計量データを算出する。
次にＣＰＵ２０は、算出した計量データを無線通信部２１を介して表示装置１に送信する（ステップＳａ１３）。そして、ステップＳａ５の動作に移行する。
【００２３】
無線通信部２１が表示装置１の無線通信部１１から任意のデータを受信した場合（ステップＳａ７で「Ｙｅｓ」）、ＣＰＵ２０は、無線通信部２１が表示装置１からゼロリセットコマンドを受信したか否かを判断する（ステップＳａ１５）。ゼロリセットコマンドを受信した場合（ステップＳａ１５で「Ｙｅｓ」）、ＣＰＵ２０は今回カウント値レジスタ２２４に格納されている最新のカウント値を読み出してゼロ点レジスタ２２３に書込み、ゼロ点を更新する（ステップＳａ１７）。さらにＣＰＵ２０は、風袋レジスタ２２２にゼロを書き込む（ステップＳａ１９）。これは、風袋レジスタ２２２に有効データが格納されていると、商品の計量データを算出するにあたり、商品が風袋に入っていないにもかかわらず、ゼロ点レジスタ２２３に格納されたカウント値ではなく、風袋レジスタ２２２に格納されたカウント値を用いてしまい、風袋のカウント値を考慮されてしまうからである。そしてステップＳａ５の処理に戻る。
【００２４】
無線通信部２１が表示装置１からゼロリセットコマンドを受信せず（ステップＳａ１５で「Ｎｏ」）、風袋コマンドを受信した場合（ステップＳａ２１で「Ｙｅｓ」）、ＣＰＵ２０は今回のカウント値を、風袋を計量した際のカウント値として認識し、Ａ／Ｄ変換部２５から出力された今回カウント値を風袋レジスタ２２２に書き込んで更新する（ステップＳａ２３）。そしてステップＳａ５の処理に戻る。
【００２５】
次に、表示装置１の動作について図６を用いて説明する。まずＣＰＵ１０は、無線通信部１１が今現在任意のデータを受信したか否かを判断する（ステップＳｂ１）。データを受信した場合（ステップＳｂ１で「Ｙｅｓ」）、受信データが計量データであれば（ステップＳｂ３で「Ｙｅｓ」）、ＣＰＵ１０はパソコン３に保存された商品ファイルから該当商品のデータを取得し、受信した計量データにその商品の単価を乗算して金額を算出する（ステップＳｂ５）。次にＣＰＵ１０は表示部１４に商品名、重量値、金額を表示させる（ステップＳｂ７）。そしてＣＰＵ１０は、表示した商品名、重量値、金額をＲＡＭ１２に一時記憶させる（ステップＳｂ８）。
【００２６】
受信したデータが計量データでない場合（ステップＳｂ３で「Ｎｏ」）、ＣＰＵ１０は他のデータに対する処理を行う（ステップＳｂ９）。ここでいう他のデータに対する処理とは、例として、表示装置１がバーコードスキャナ５から商品コードのデータを受信し、ＣＰＵ１０は、受信した商品コードに対応する商品名、単価をパソコン３に保存された商品ファイルから呼び出してＲＡＭ１２に一時記憶させる等といった処理が挙げられる。
【００２７】
今現在任意のデータを受信していない場合（ステップＳｂ１で「Ｎｏ」）、ＣＰＵ１０は操作部１５のゼロリセットキーが押下されたか否かを判断する（ステップＳｂ１３）。押下されていれば（ステップＳｂ１３で「Ｙｅｓ」）、ＣＰＵ１０は無線通信部１１を用いて計量装置２にゼロリセットコマンドを送信する（ステップＳｂ１５）。そしてステップＳｂ１の処理に戻る。
【００２８】
ゼロリセットキーが押下されていない場合（ステップＳｂ１３で「Ｎｏ」）、ＣＰＵ１０は操作部１５の風袋キーが押下されたか否かを判断する（ステップＳｂ１７）。押下されていれば（ステップＳｂ１７で「Ｙｅｓ」）、ＣＰＵ１０は無線通信部１１を用いて計量装置２に風袋コマンドを送信する（ステップＳｂ１９）。そしてステップＳｂ１の処理に戻る。
【００２９】
風袋キーが押下されていない場合（ステップＳｂ１７で「Ｎｏ」）、ＣＰＵ１０は操作部１５の印字操作キーが押下されたか否かを判断する（ステップＳｂ２１）。押下されていれば（ステップＳｂ２１で「Ｙｅｓ」）、ＣＰＵ１０はステップＳｂ８でＲＡＭ１２に一時記憶した商品名、重量値、金額を読み出し、それらのデータに基づいてプリンタ４で印字するレシートの印字イメージを作成する。そしてＣＰＵ１０は、作成した印字イメージを、無線通信部１１を介してプリンタ４に送信する（ステップＳｂ２３）。次にＣＰＵ１０は、ステップＳｂ８でＲＡＭ１２に一時記憶した商品名、重量値、金額を、無線通信部１１を介してパソコン３に送信し（ステップＳｂ２５）、パソコン３に保存されている商品ファイルに記憶させる。そしてステップＳｂ１の処理に戻る。
【００３０】
印刷操作キーが押下されていなければ（ステップＳｂ２１で「Ｎｏ」）、ＣＰＵ１０はその他の処理を行って（ステップＳｂ２７）、ステップＳｂ１の処理に戻る。ここで言うその他の処理の例として、操作部１５のプリセットキーが押下されると、ＣＰＵ１０がパソコン３に保存された商品ファイルから商品名と単価を読み出す等がある。
【００３１】
以上説明したように、本実施形態によれば、計量データを受信するための無線通信部と、外部装置にデータを送信するための無線通信部とを表示装置に共に備えて１つの通信部でインターフェースを兼用することで、装置を小型かつ安価にできる。
また、表示装置と他の装置とは無線接続であるので、装置の配置変更などに容易に対応できる。
【００３２】
以上、本発明の実施形態について図面を参照して詳述してきたが、具体的な構成はこの実施形態に限られるものではなく、本発明の要旨を逸脱しない範囲の設計変更等も含まれる。
【００３３】
例えば、計量装置が送信する計量データは、重量値に変換した値に限らず、今回カウント値や、重量値換算係数を乗算する直前の値を送信してもよい。
また、表示装置の表示部と操作部は、液晶タッチパネルとしてもよい。
また、今回のカウント値、前回のカウント値、前々回のカウント値の書込みは、割り込みプログラムで行ってもよい。
また、計量装置の電源は、バッテリーでもよいし、ＡＣコードをＡＣ電源に差し込む方式でもよい。
【００３４】
また、複数の計量装置を設けて、１台の表示装置が複数の計量装置の計量データを表示してもよい。そのときのシステム図を図７に示す。ここで表示装置の表示部が１つの場合、各計量装置のＩＤと該当する計量データを順に表示する。表示部が計量装置と同数あれば、表示部毎に計量装置のＩＤと該当する計量データを表示する。
このとき、各装置が送受信する通信フォーマットは、図８のように、宛先ＩＤと自己ＩＤとデータの３つとする。例えば、計量装置から表示装置へ計量データを送信する場合（図８の（ａ））、通信フォーマットは、宛先ＩＤとして表示装置のＩＤ、自己ＩＤとして計量装置のＩＤ、データとして計量データとなる。表示装置から計量装置へコマンドを送信する場合（図８の（ｂ））、表示装置から他の装置にデータを送信する場合（図８の（ｃ））も同様である。
【００３５】
【発明の効果】
以上の説明で明らかなように、請求項１〜３の発明によれば、計量データを受信するためのインターフェースと、外部装置にデータを送信するためのインターフェースとを表示装置で兼用できることで、装置を小型かつ安価にできる。
また、表示装置と他の装置とは無線接続であるので、装置の配置変更などに容易に対応できる。
【００３６】
請求項４、５の発明によれば、請求項１の計量システムにおいて、計量装置は連続した同じ計量データを表示装置に送信しないので、同じデータを送信する無駄を省いて通信量を減少させることができる。特に、ゼロに相当する計量データを連続して計量した場合は、計量を行っていない場合であり、計量中よりも多い状態であるので、さらに通信量を減少させることができる。
【００３７】
請求項６の発明によれば、ＩＤによって計量装置を特定できるので、あらかじめ表示装置に記憶したＩＤを持つ計量装置からの計量データしか表示せず、他の計量装置との混同を防止することができる。また、計量装置と表示装置との組み合わせを異ならせることを防止することができるので、秤量値の不一致による誤計量も防止することができる。
【００３８】
請求項７の発明によれば、複数の計量装置からの計量データを１つの表示装置で表示する際には、計量装置のＩＤとともに表示するので、どの計量装置で測定した計量データか判別することができる。
【００３９】
請求項８の発明では、表示装置から計量装置にゼロ点を送信、記憶させることができる。
請求項９の発明では、表示装置から計量装置に風袋信号を送信し、風袋データを記憶することができるので、風袋を用いた場合の計量データを求めることができる。
【図面の簡単な説明】
【図１】本発明の一実施形態に計量システムの概略構成を示すブロック図である。
【図２】同実施形態における計量装置２の概略構成を示すブロック図である。
【図３】同実施形態における計量装置２のＲＡＭ２２内のメモリマップである。
【図４】同実施形態における表示装置１の概略構成を示すブロック図である。
【図５】同実施形態における計量装置２の動作を示すフローチャートである。
【図６】同実施形態における表示装置１の動作を示すフローチャートである。
【図７】複数の計量装置を有する場合の計量システムの概略構成を示すブロック図である。
【図８】複数の計量装置を有する場合の、各装置が送受信する通信フォーマットの概略図である。
【符号の説明】
１…表示装置、２…計量装置、３…パソコン、４…プリンタ、５…バーコードスキャナ、１０…ＣＰＵ、１１…無線通信部、１２…ＲＡＭ、１３…ＲＯＭ、１４…表示部、１５…操作部、２０…ＣＰＵ、２１…無線通信部、２２…ＲＡＭ、２３…ＲＯＭ、２４…ロードセル、２５…Ａ／Ｄ変換部
【図１】
2004340811.tif 000003
【図２】
2004340811.tif 000004
【図３】
2004340811.tif 000005
【図４】
2004340811.tif 000006
【図５】
2004340811.tif 000007
【図６】
2004340811.tif 000008
【図７】
2004340811.tif 000009
【図８】
2004340811.tif 000010